(57)【特許請求の範囲】
【請求項１】
透明基材及び前記透明基材の表面の所定位置に配置される部品を備える物品の検査方法であって、
照明装置から前記表面に光を照射しながら撮像装置で前記表面の画像を撮像する撮像ステップと、
前記撮像装置で撮像された前記画像のうち前記所定位置に対応する位置の周辺の画像とテンプレートとの一致度を評価する評価ステップと、
を含み、
前記テンプレートは、前記部品が正しく前記所定位置に配置されている場合の前記部品の実像と虚像との位置関係を示す、
検査方法。
【請求項２】
さらに、前記一致度が所定の閾値以上であれば前記部品が破損せずに前記所定位置に配置されていると判断し、前記一致度が前記所定の閾値未満であれば前記部品が前記所定位置に配置されていない又は破損していると判断する判断ステップを含む、
請求項１の検査方法。
【請求項３】
前記撮像ステップにおいて、前記照明装置及び前記撮像装置を、前記照明装置からの光のうち前記表面における正反射光を前記撮像装置が受け取るように配置する、
請求項１又は２の検査方法。
【請求項４】
前記撮像ステップにおいて、１以上の偏光フィルタを用いて、前記透明基材の裏面に存在する物体に起因する反射光を前記撮像装置が受け取る光から除去する、
請求項１〜３のいずれか一つの検査方法。
【請求項５】
透明基材及び前記透明基材の表面の所定位置に配置される部品を備える物品の検査システムであって、
前記表面に光を照射する照明装置と、
前記表面の画像を撮像する撮像装置と、
請求項１の検査方法を実行する処理装置と、
を備える、
検査システム。
【請求項６】
前記処理装置は、
前記一致度が所定の閾値以上であれば前記部品が破損せずに前記所定位置に配置されていると判断し、
前記一致度が前記所定の閾値未満であれば前記部品が前記所定位置に配置されていない又は破損していると判断する、
ように構成される、
請求項５の検査システム。
【請求項７】
前記照明装置及び前記撮像装置は、前記照明装置からの光のうち前記表面における正反射光を前記撮像装置が受け取るように配置される、
請求項５又は６の検査システム。
【請求項８】
さらに、前記透明基材の裏面に存在する物体に起因する反射光を前記撮像装置が受け取る光から除去する１以上の偏光フィルタを備える、
請求項５〜７のいずれか一つの検査システム。
【請求項９】
透明基材及び前記透明基材の表面の所定位置に配置される部品を備える物品の製造方法であって、
前記透明基材の前記表面の前記所定位置に前記部品を形成する形成処理を行うステップと、
請求項１〜４のいずれか一つの検査方法により、前記物品の検査を行うステップと、
前記検査の結果が不合格であれば、再度、前記形成処理を行うステップと、
を含む、
製造方法。
【発明の詳細な説明】
【技術分野】
【０００１】
本発明は、検査方法、検査システム、及び、製造方法に関し、特に、透明基材及び前記透明基材の表面の所定位置に配置される部品を備える物品の検査方法、検査システム、及び製造方法に関する。
【背景技術】
【０００２】
従来から、透明板状体の表面欠点を検出する方法及び装置が提案されている（例えば、特許文献１参照）。特許文献１に記載の装置は、線状照明光を透明ガラス基板の表面に斜めに照射する照明装置と、表面で正反射した線状照明光を受光するラインセンサと、ラインセンサの出力に基づき透明ガラス基板に存在する欠点を検出する画像処理装置と、を備える。【０００３】
一方、ガラス基板などの透明基材上の所定位置に部品が正しく配置されているかどうかを検査したいという要望もある。文献１によれば、透明基材上に何かが存在することは検出できるが、これが欠点であるのか部品であるのかは判別できなかった。
【先行技術文献】
【特許文献】
【０００４】
【特許文献１】特開２００５−１８１０７０号公報
【発明の概要】
【０００５】
本発明の目的は、透明基材を備える物品についての検査の精度を向上できる検査方法、及び検査システムを提供することである。また、本発明の別の目的は、透明基材を備える物品の品質を向上できる製造方法を提供することである。
【０００６】
本発明に係る一態様の検査方法は、透明基材及び前記透明基材の表面の所定位置に配置される部品を備える物品の検査方法であって、撮像ステップと、評価ステップと、を含む。前記撮像ステップは、照明装置から前記表面に光を照射しながら撮像装置で前記表面の画像を撮像するステップである。前記評価ステップは、前記撮像装置で撮像された前記画像のうち前記所定位置に対応する位置の周辺の画像とテンプレートとの一致度を評価するステップである。前記テンプレートは、前記部品が正しく前記所定位置に配置されている場合の前記部品の実像と虚像との位置関係を示す。
【０００７】
本発明に係る一態様の検査システムは、透明基材及び前記透明基材の表面の所定位置に配置される部品を備える物品の検査システムであって、照明装置と、撮像装置と、処理装置と、を備える。前記照明装置は、前記表面に光を照射するように構成される。前記撮像装置は、前記表面の画像を撮像するように構成される。前記処理装置は、上記態様の検査方法を実行するように構成される。
【０００８】
本発明に係る一態様の製造方法は、透明基材及び前記透明基材の表面の所定位置に配置される部品を備える物品の製造方法であって、前記透明基材の前記表面の前記所定位置に前記部品を形成する形成処理を行うステップを含む。また、本態様の製造方法は、上記態様の検査方法により、前記物品の検査を行うステップを含む。さらに、本態様の製造方法は、前記検査の結果が不合格であれば、再度、前記形成処理を行うステップを含む。
【図面の簡単な説明】
【０００９】
【図１】図１は、本発明に係る一実施形態の検査方法の説明図である。
【図２】図２は、同上の検査方法を行うための検査システムの概略説明図である。
【図３】図３は、上記検査システムにおける照明装置と撮像装置との位置関係の説明図である。
【図４】図４Ａは、同上の検査方法で検査される物品の概略図である。図４Ｂは、図４Ａの物品の画像の概略図である。
【図５】図５Ａ及び図５Ｂは、上記物品の部品における実像と虚像との関係の説明図である。
【図６】図６は、変形例の検査システムの要部の概略図である。
【図７】図７Ａは、偏光フィルタがない場合の物品の画像である。図７Ｂは、偏光フィルタがある場合の物品の画像である。
【発明を実施するための形態】
【００１０】
１．実施形態
本発明に係る一実施形態の検査方法は、例えば、図２Ａに示すような、物品１００の検査方法である。
【００１１】
物品１００は、例えば、透明基材２００と、複数（本実施形態では、１２）の部品３００と、を備える。透明基材２００は、例えば、矩形の平板状である。つまり、透明基材２００は、それぞれ平坦な表面２１０及び裏面２２０を有している。透明基材２００は、例えば、透明材料（ガラスや透明樹脂）で形成される。複数の部品３００の各々は、例えば、透明基材２００の表面２１０の所定位置（配置位置）４００に配置される。図２Ａでは、１２個の部品３００（３０１〜３１２）が、透明基材２００の表面２１０に、４×３のマトリクス状の所定位置４００（４０１〜４１２）に、配置される。
【００１２】
複数の部品３００は、例えば、同じ円盤状である。複数の部品３００は、例えば、樹脂により形成される。なお、複数の部品３００は、同じ形状でなくてもよいし、円盤状でなくてもよい。例えば、複数の部品３００は、所定の幾何学形状（円錐形状、直方体状、円柱状など）であってもよい。また、部品３００は、単一の樹脂製品ではなく、例えば、複数の部品により構成された装置（例えば、半導体装置）であってもよい。なお、物品１００において、部品３００の数は１つであってもよい。要するに、物品１００は、透明基材２００及び透明基材２００の表面２１０の所定位置４００に配置される部品３００を備えていればよい。
【００１３】
実際に、物品１００を形成した場合、何らかの要因によって、部品３００が所定位置４００に配置されていなかったり、部品３００が破損していたりすることがある。本実施形態の検査方法は、このような部品３００の欠落や破損を検出するために用いられる。
【００１４】
図２は、本実施形態の検査方法を実施するためのシステム（検査システム）を示す。検査システムは、照明装置１０と、撮像装置２０と、処理装置３０と、支持装置４０と、を備える。
【００１５】
照明装置１０は、物品１００の透明基材２００の表面２１０に光Ｌ１を照射するように構成される。照明装置１０は、例えば、直線光源である。直線光源は、例えば、直線状に配列された複数の発光ダイオード（ＬＥＤ）と、複数の発光ダイオードの前方に配置されるリニアフレネルレンズと、を備える。照明装置１０は、透明基材２００の厚み方向に直交する第１方向（図２では、透明基材２００の幅方向）において、表面２１０の全体に光Ｌ１を照射するように構成される。
【００１６】
撮像装置２０は、物品１００の透明基材２００の表面２１０の画像を撮像するように構成される。撮像装置２０は、例えば、ラインカメラである。撮像装置２０は、透明基材２００の第１方向（図２では、透明基材２００の幅方向）において、表面２１０の全体の画像を撮像するように構成される。
【００１７】
照明装置１０及び撮像装置２０は、図３に示すように、照明装置１０からの光Ｌ１のうち表面における正反射光（光Ｌ２）を撮像装置２０が受け取るように配置される。つまり、透明基材２００の表面２１０の法線Ｎ（これは、載置面５１の法線に一致する）に対する照明装置１０の光軸の角度θ１と法線Ｎに対する撮像装置２０の光軸の角度θ２とが一致している。また、照明装置１０と撮像装置２０とが法線Ｎを挟んで反対側に位置している。そのため、照明装置１０からの光Ｌ１のうち物品１００を通り抜けた光が、撮像装置２０に入ることが抑制される。そのため、物品１００とは関係が無い物体の画像が撮像装置２０からの画像に写り込むことを抑制できる。結果として、透明基材２００を備える物品１００についての検査の精度を向上できる。
【００１８】
また、照明装置１０及び撮像装置２０は、照明装置１０からの光Ｌ１が撮像装置２０に直接入らないように配置されている。
【００１９】
支持装置４０は、ステージ５０と、移動機構６０と、を備える。
【００２０】
ステージ５０は、例えば、物品１００のサイズより大きい矩形板状である。ステージ５０は、物品１００が載置される載置面５１を有する台である。例えば、物品１００は、透明基材２００の第１方向（図２では、透明基材２００の幅方向）及び第２方向（図２では、透明基材２００の長さ方向）が、載置面５１の幅方向及び長手方向に一致するように、載置面５１に載置される。載置面５１は、例えば、光沢を有する平坦な面である。
【００２１】
移動機構６０は、照明装置１０及び撮像装置２０を、ステージ５０の載置面５１上の物品１００に対して移動させるように構成される。例えば、移動機構６０は、照明装置１０及び撮像装置２０を、載置面５１の長手方向（透明基材２００の第２方向）において、移動させる。例えば、移動機構６０による照明装置１０及び撮像装置２０の移動範囲は、撮像装置２０により透明基材２００の表面２１０の全体の画像が得られるように設定される。なお、移動機構６０は、従来周知の機構により実現できるから詳細な説明は省略する。また、図２において、移動機構６０は、図を簡略化するために、単に、照明装置１０及び撮像装置２０を支持する機構として描かれている。
【００２２】
処理装置３０は、照明装置１０、撮像装置２０、及び、支持装置４０を制御するように構成される。また、処理装置３０は、撮像装置２０から得た画像を処理する画像処理装置としての機能を有する。処理装置３０は、例えば、プログラムを格納するメモリ及びプログラムに従って動作するプロセッサを備える装置（例えば、パーソナルコンピュータ等）である。また、処理装置３０は、ディスプレイを備える。
【００２３】
処理装置３０は、検査処理と、検査前処理と、を実行するように構成される。
【００２４】
検査前処理では、処理装置３０は、検査処理で使用されるテンプレートを作成する。検査前処理は、撮像ステップ（検査前撮像ステップ）と、テンプレート作成ステップと、を含む。
【００２５】
検査前撮像ステップは、比較対象となる物品１００を撮像するためのステップである。検査前撮像ステップの実行前に、支持装置４０のステージ５０に、比較対象となる物品１００が置かれる。比較対象となる物品１００は、例えば、欠陥のない物品１００である。欠陥のない物品１００では、例えば、図４Ａに示すように、１２の部品３０１〜３１２が１２の所定位置４０１〜４１２に、それぞれ、配置されており、１２の部品３０１〜３１２のいずれも破損していない。
【００２６】
検査前撮像ステップでは、処理装置３０は、照明装置１０から表面２１０に光を照射しながら撮像装置２０で表面２１０の画像（つまり、物品１００を透明基材２００の表面２１０側から撮像して得られる画像）を撮像する。例えば、処理装置３０は、照明装置１０、撮像装置２０、及び移動機構６０を制御し、撮像装置２０により表面２１０の全体の画像を撮像する。具体的には、処理装置３０は、透明基材２００の長さ方向の複数の位置において撮像装置２０で透明基材２００の表面２１０の部分画像を撮像し、表面２１０の複数の部分画像を連結して、表面２１０の全体の画像を作成する。複数の部分画像から全体の画像を作成する方法は従来周知の方法により実現可能であるから、説明を省略する。
【００２７】
検査前撮像ステップによれば、例えば、図４Ｂに示す画像Ｐが得られる。画像Ｐでは、所定位置４０１〜４１２に対応する位置４０１Ｐ〜４１２Ｐに、部品３０１〜３１２の実像３０１Ｒ〜３１２Ｒが存在している。また、実像３０１Ｒ〜３１２Ｒの近傍に、虚像３０１Ｉ〜３１２Ｉが存在している。
【００２８】
虚像３０１Ｉ〜３１２Ｉは、透明基材２００の裏面２２０での光の反射に起因して生じる。例えば、図５Ａに示すように、光Ｌ１００，Ｌ２００が透明基材２００の表面２１０に入射したとする。光Ｌ１００は、部品３００に位置ｐ１で当たり、これによって、部品３００で反射された光Ｌ１１１と、部品３００を通って透明基材２００内に入る光Ｌ１１２とが生じる。光Ｌ１１２は、透明基材２００の裏面２２０に当たり、裏面２２０で反射された光Ｌ１２０が生じる。光Ｌ１２０は、位置ｐ２を通って外部にでる光Ｌ１３０が生じる。一方、光Ｌ２００は、表面２１０に当たり、これによって、透明基材２００内に入る光Ｌ２１０が生じる。光Ｌ２１０は、透明基材２００の裏面２２０に当たり、裏面２２０で反射された光Ｌ２２０を生じる。光Ｌ２２０は、位置ｐ１で部品３００に当たり、部品３００で反射された光Ｌ２３２と、部品３００を通って外部に出る光Ｌ２３１とが生じる。光Ｌ２３２は、透明基材２００の裏面２２０に当たり、裏面２２０で反射された光Ｌ２４０が生じる。光Ｌ２４０は、表面２１０に当たり、位置ｐ２を通って外部にでる光Ｌ２５０が生じる。その結果、物品１００では、部品３００（つまり、実像３００Ｒ）の近傍に、部品３００の虚像３００Ｉが存在するように見える。なお、図３Ａでは、図を簡略化するため、光の屈折の様子は描かれていない。
【００２９】
テンプレート作成ステップは、部品３００の実像３００Ｒと虚像３００Ｉとの位置関係を示すテンプレートＴ１，Ｔ２，Ｔ３（図１参照）を作成するためのステップである。テンプレート作成ステップでは、処理装置３０は、検査前撮像ステップで撮像された画像Ｐに基づいて、部品３００の実像３００Ｒと虚像３００Ｉとの位置関係を示すテンプレートを作成する。また、処理装置３０は、テンプレート作成ステップで形成されたテンプレートＴ１，Ｔ２，Ｔ３を記憶する。
【００３０】
実像３００Ｒと虚像３００Ｉとの位置関係は、例えば、図５Ｂに示すように、距離ｄｘ及び距離ｄｙで定まる。距離ｄｘは、透明基材２００の幅方向（例えば、画像Ｐのｘ方向に一致する）における実像３００Ｒと虚像３００Ｉとの間の距離である。距離ｄｙは、透明基材２００の長さ方向（例えば、画像Ｐのｙ方向に一致する）における実像３００Ｒと虚像３００Ｉとの間の距離である。距離ｄｙは、図５Ａにおける位置ｐ１と位置ｐ２との間の距離δに等しいと考えられる。距離δは、２ｔ・ｔａｎθで表される。ｔは透明基材２００の厚みを示し、θは光の入射角を示す。検査システムでは、照明装置１０は透明基材２００の幅方向において表面２１０の全体に光を照射し、撮像装置２０は透明基材２００の幅方向において表面２１０の全体の画像を撮像する。したがって、複数の所定位置４００において透明基材２００の長さ方向における所定位置４００と撮像装置２０の光軸との距離はほぼ同じである。そのため、複数の所定位置４００において、距離ｄｙは略同じになる。一方、複数の所定位置４００において透明基材２００の幅方向における所定位置４００と撮像装置２０の光軸との距離は異なる場合がある。そのため、複数の所定位置４００において、距離ｄｘは異なる場合がある。つまり、距離ｄｘは、撮像装置２０の光軸と所定位置４００との位置関係により変化する。つまり、透明基材２００の幅方向において撮像装置２０の光軸に近い部品３００では、実像３００Ｒと虚像３００Ｉとの間の距離ｄｘが短くなる傾向にある。一方、透明基材２００の幅方向において撮像装置２０の光軸から遠い部品３００では、実像３００Ｒと虚像３００Ｉとの間の距離ｄｘが長くなる傾向にある。つまり、距離ｄｘは、透明基材２００の幅方向における撮像装置２０の光軸と部品３００との位置の関数として定義できる。
【００３１】
例えば、物品１００の部品３０１，３０４，３０７，３１０は、撮像装置２０の光軸より左側にあり、画像Ｐにおいて、虚像３０１Ｉ，３０４Ｉ，３０７Ｉ，３１０Ｉが実像３０１Ｒ、３０４Ｒ，３０７Ｒ，３１０Ｒより左にずれている。物品１００の部品３０３，３０６，３０９，３１２は、撮像装置２０の光軸より右側にあり、画像Ｐにおいて、虚像３０３Ｉ，３０６Ｉ，３０９Ｉ，３１２Ｉが実像３０３Ｒ、３０６Ｒ，３０９Ｒ，３１２Ｒより右にずれている。物品１００の部品３０２，３０５，３０８，３１１は、撮像装置２０の光軸の直下にあり、画像Ｐにおいて、虚像３０２Ｉ，３０５Ｉ，３０８Ｉ，３１１Ｉが実像３０２Ｒ、３０５Ｒ，３０８Ｒ，３１１Ｒから左右にずれていない。
【００３２】
部品３０１，３０４，３０７，３１０は、画像Ｐにおいて、虚像３００Ｉが実像３００Ｒより左にずれている位置関係を示す。部品３０２，３０５，３０８，３１１は、画像Ｐにおいて、虚像３００Ｉが実像３００Ｒよりずれていない位置関係を示す。部品３０３，３０６，３０９，３１２は、画像Ｐにおいて、虚像３００Ｉが実像３００Ｒより右にずれている位置関係を示す。そこで、処理装置３０は、図１に示すように、３つのテンプレートＴ１，Ｔ２，Ｔ３を作成する。テンプレートＴ１は、虚像３００Ｉが実像３００Ｒより左にずれている位置関係を示す。テンプレートＴ２は、虚像３００Ｉが実像３００Ｒよりずれていない位置関係を示す。テンプレートＴ３は、虚像３００Ｉが実像３００Ｒより右にずれている位置関係を示す。テンプレートＴ１は、所定位置４０１，４０４，４０７，４１０に対応付けられ、部品３０１，３０４，３０７，３１０の欠落及び破損の検出に使用される。テンプレートＴ２は、所定位置４０２，４０５，４０８，４１１に対応付けられ、部品３０２，３０５，３０８，３１１の欠落及び破損の検出に使用される。テンプレートＴ３は、所定位置４０３，４０６，４０９，４１２に対応付けられ、部品３０３，３０６，３０９，３１２の欠落及び破損の検出に使用される。
【００３３】
このように、処理装置３０は、欠陥のない物品１００の画像Ｐから、所定位置４００の部品３００について実像３００Ｒと虚像３００Ｉとの位置関係を抽出する。処理装置３０は、抽出された位置関係を示すテンプレートを作成し、テンプレートを、所定位置４００に対応付けて記憶する。テンプレートは、部品３００が正しく所定位置４００に配置されている場合の部品３００の実像３００Ｒと虚像３００Ｉとの位置関係を示す。
【００３４】
本実施形態では、処理装置３０は、実像３００Ｒと虚像３００Ｉとの位置関係が同じとみなせる所定位置４００については、共通のテンプレートを使用する。つまり、処理装置３０は、実像３００Ｒと虚像３００Ｉとの位置関係の類似度に基づいて複数の所定位置４００を１以上のグループに分類し、グループ毎にテンプレートを作成する。処理装置３０は、テンプレートをグループに対応付けて記憶する。
【００３５】
次に、検査処理については説明する。検査処理では、処理装置３０は、物品１００の検査を行う。検査処理は、撮像ステップ（検査用撮像ステップ）と、評価ステップと、判断ステップと、を含む。
【００３６】
検査用撮像ステップは、検査対象となる物品１００を撮像するためのステップである。検査用撮像ステップの実行前に、支持装置４０のステージ５０に、検査対象となる物品１００が置かれる。検査用撮像ステップでは、処理装置３０は、照明装置１０から表面２１０に光を照射しながら撮像装置２０で表面２１０の画像（つまり、物品１００を透明基材２００の表面２１０側から撮像して得られる画像）を撮像する。例えば、処理装置３０は、照明装置１０、撮像装置２０、及び移動機構６０を制御し、撮像装置２０により表面２１０の全体の画像を撮像する。具体的には、処理装置３０は、表面２１０の複数の部分画像を連結して、表面２１０の全体の画像を作成する。複数の部分画像から全体の画像を作成する方法は従来周知であるから、説明を省略する。
【００３７】
評価ステップは、撮像装置２０で撮像された画像のうち所定位置４００に対応する位置４００Ｐの周辺の画像とテンプレートとの一致度を評価するステップである。
【００３８】
評価ステップでは、処理装置３０は、撮像装置２０で撮像された画像（検査用撮像ステップで撮像された画像）から所定位置４００に対応する位置４００Ｐの周辺の画像を抽出する。処理装置３０は、抽出された画像をマッチング範囲とする。マッチング範囲は、少なくとも、テンプレート以上のサイズであればよいが、他のマッチング範囲と重ならないことが好ましい。処理装置３０は、マッチング範囲内の画像と位置４００Ｐに対応するテンプレートとのマッチングを行い、マッチング範囲の一致度を評価する。なお、テンプレートを利用したマッチング自体は、従来周知の方法により実現可能であるから、詳細な説明を省略する。
【００３９】
例えば、検査用撮像ステップにより図１に示す画像Ｐ１０が得られたとする。この場合、処理装置３０は、画像Ｐ１０から所定位置４０１，４０４，４０７，４１０に対応する位置４０１Ｐ，４０４Ｐ，４０７Ｐ，４１０Ｐの周辺の画像をマッチング範囲Ｒ１，Ｒ４，Ｒ７，Ｒ１０として抽出する。処理装置３０は、マッチング範囲Ｒ１，Ｒ４，Ｒ７，Ｒ１０内の画像と所定位置４０１，４０４，４０７，４１０に対応するテンプレートＴ１とのマッチングを行い、一致度を評価する。同様に、処理装置３０は、マッチング範囲Ｒ２，Ｒ５，Ｒ８，Ｒ１１内の画像と所定位置４０２，４０５，４０８，４１１に対応するテンプレートＴ２とのマッチングを行い、一致度を評価する。また、処理装置３０は、マッチング範囲Ｒ３，Ｒ６，Ｒ９，Ｒ１２内の画像と所定位置４０３，４０６，４０９，４１２に対応するテンプレートＴ３とのマッチングを行い、一致度を評価する。このようにして、処理装置３０は、全ての所定位置４００に関して、一致度を評価する。
【００４０】
判断ステップは、一致度が所定の閾値以上であれば部品３００が破損せずに所定位置４００に配置されていると判断するステップである。また、判断ステップは、一致度が所定の閾値未満であれば部品３００が所定位置４００に配置されていない又は破損していると判断するステップである。なお、所定の閾値は、実際に部品３００が欠落している画像とテンプレートとの一致度や、部品が破損している画像とテンプレートとの一致度などに基づいて定められる。
【００４１】
判断ステップでは、処理装置３０は、評価ステップで求められた所定位置４００に関する一致度と所定の閾値とを比較する。処理装置３０は、一致度が所定の閾値以上であれば、部品３００が破損せずに所定位置４００に配置されていると判断する。処理装置３０は、一致度が所定の閾値未満であれば、部品３００が所定位置４００に配置されていない又は破損していると判断する。
【００４２】
例えば、図１に示す画像Ｐ１０では、マッチング範囲Ｒ１〜Ｒ５，Ｒ７，Ｒ９〜Ｒ１２に関しては、一致度が、所定の閾値以上となる。一方、マッチング範囲Ｒ６，Ｒ８に関しては、一致度が、所定の閾値未満となる。したがって、処理装置３０は、マッチング範囲Ｒ１〜Ｒ５，Ｒ７，Ｒ９〜Ｒ１２に関しては、部品３００が破損せずに所定位置４００に配置されていると判断する。一方、処理装置３０は、マッチング範囲Ｒ６，Ｒ８に関しては、部品３００の欠落又は破損があると判断する。なお、図１に示す画像Ｐ１０において、マッチング範囲Ｒ６では部品３０６が破損し、マッチング範囲Ｒ８では部品３０８が欠落している。
【００４３】
また、判断ステップでは、処理装置３０は、判断の結果を表示する。例えば、処理装置３０は、図１に示す画像Ｐ１０を、マッチング範囲Ｒ１〜Ｒ１２とともに、ディスプレイに表示する。さらに、処理装置３０は、判断の結果を、ディスプレイに表示する。この場合、処理装置３０は、マッチング範囲Ｒ１〜Ｒ５，Ｒ７，Ｒ９〜Ｒ１２に関しては、部品３００が破損せずに所定位置４００に配置されているという結果を表示する。また、処理装置３０は、マッチング範囲Ｒ６，Ｒ８に関しては、部品３００の欠落又は破損があるという結果を表示する。なお、結果の表示は、文章であってもよいし、予め決められた文言（例えば、「合格」、「不合格」、「ＯＫ」、「ＮＧ」）、記号（「○」、「×」）等であってもよい。 複数のマッチング範囲Ｒ１〜Ｒ１２の少なくとも一つにおいて、部品３００の欠落又は破損があれば、物品１００の検査の結果は不合格ということになる。
【００４４】
上述したように、検査方法及び検査システムでは、撮像装置２０で撮像された画像のうち所定位置４００に対応する位置の周辺の画像とテンプレートとの一致度を評価する。ここで、テンプレートは、部品３００が正しく所定位置４００に配置されている場合の部品３００の実像３００Ｒと虚像３００Ｉとの位置関係を示す。つまり、透明基材２００を備える物品１００では、部品３００の虚像３００Ｉが生じることを利用し、部品３００の実像３００Ｒと虚像３００Ｉとの位置関係に基づいて一致度を評価している。そのため、虚像３００Ｉによって検査の精度が悪化することがない。したがって、検査方法及び検査システムによれば、透明基材２００を備える物品１００についての検査の精度を向上できる。
【００４５】
次に、物品１００の製造方法について説明する。この製造方法は、例えば、処理ステップと、検査ステップと、再処理ステップと、を含む。
【００４６】
処理ステップは、透明基材２００の表面２１０の所定位置４００に部品３００を形成する形成処理を行うステップである。形成処理では、透明基材２００を準備し、次に、透明基材２００の表面２１０の所定位置４００に部品３００を形成する。部品３００を形成する方法は、部品３００に依存する。
【００４７】
検査ステップは、上記の検査方法により、物品１００の検査を行うステップである。つまり、検査ステップでは、形成処理によって、部品３００が正しく所定位置４００に形成されているかどうかを検査するステップである。
【００４８】
再処理ステップは、検査の結果が不合格であれば、再度、形成処理を行うステップである。例えば、図１の画像Ｐ１０の場合、マッチング範囲Ｒ６，Ｒ８に関しては、部品３００の欠落又は破損があると判断される。そのため、検査の結果が不合格となり、再度、形成処理が実行される。
【００４９】
この製造方法によれば、検査の結果が不合格となった場合には、再度、形成処理が実行される。そのため、透明基材２００を備える物品１００の品質を向上できる。
【００５０】
２．変形例
本発明の実施形態は、上記の実施形態に限定されない。上記の実施形態は、本発明の目的を達成できれば、設計等に応じて種々の変更が可能である。
【００５１】
例えば、変形例では、撮像ステップ（検査前撮像ステップ及び検査用撮像ステップ）において、１以上の偏光フィルタを用いて、透明基材２００の裏面２２０に存在する物体に起因する反射光を撮像装置２０が受け取る光から除去してもよい。透明基材２００の裏面２２０に存在する物体は、例えばステージ５０である。
【００５２】
この場合、検査システムは、透明基材２００の裏面２２０に存在する物体に起因する反射光を撮像装置２０が受け取る光から除去する１以上の偏光フィルタを備えていればよい。例えば、図６に示すように、検査システムは、照明装置１０の前方に配置される偏光フィルタ（第１偏光フィルタ）７１と、撮像装置２０の前方に配置される偏光フィルタ（第２偏光フィルタ）７２と、を備える。
【００５３】
例えば、第１偏光フィルタ７１及び第２偏光フィルタ７２は、それぞれ、直線偏光フィルタである。第１偏光フィルタ７１は、光の進行方向に直交する第１の振動方向の光を通すように、照明装置１０と物品１００との間に配置される。第２偏光フィルタ７２は、光の進行方向及び第１の振動方向と直交する第２の振動方向の光を通すように、撮像装置２０と物品１００との間に配置される。例えば、第１の振動方向は透明基材２００の長さ方向に沿った方向であり、第２の振動方向は透明基材２００の幅方向に沿った方向である。
【００５４】
部品３００が偏光特性を有しており、部品３００での反射光及び部品３００の透過光が第２の振動方向を有する場合、部品３００での反射光及び部品３００の透過光は、第２偏光フィルタ７２を通過する。一方、透明基材２００が偏光特性を有していない場合、照明装置１０からの光のうち、部品３００での反射光及び部品３００の透過光以外の光は、第１の振動方向を有したままであるから、第２偏光フィルタ７２を通過できない。そのため、透明基材２００の裏面２２０に存在する物体（例えばステージ５０）に起因する反射光を撮像装置２０が受け取る光から除去される。物品１００とは関係が無い物品１００の背後の物体の画像が撮像装置２０からの画像に写り込むことを抑制できる。結果として、透明基材２００を備える物品１００についての検査の精度を向上できる。
【００５５】
例えば、図７Ａは上記実施形態において得られる撮像装置２０の画像の一部を示している。図７Ａでは、実像３００Ｒ及び虚像３００Ｉが黒く、透明基材２００背後の物体（ステージ５０の載置面５１）が灰色である。一方、図７Ｂは本変形例において得られる撮像装置２０の画像の一部を示している。図７Ｂでは、実像３００Ｒ及び虚像３００Ｉが白く、載置面５１が黒く映っている。図７Ａ及び図７Ｂから明らかなように、本変形例のほうが、透明基材２００の背後の物体に対する実像３００Ｒ及び虚像３００Ｉのコントラストが強く現れている。したがって、実像３００Ｒ及び虚像３００Ｉを透明基材２００の背後の物体から区別しやすくなり、処理装置３０でのマッチングの精度が向上する。結果として、透明基材２００を備える物品１００についての検査の精度を向上できる。
【００５６】
また、物品１００が載置される載置面５１は、光沢を有する平坦な面である。つまり、透明基材２００の裏面２２０と対向する面は、光沢を有する平坦な面である。そのため、載置面５１での反射によって光の振動方向が変わることがない。そのため、透明基材２００の裏面２２０に存在する物体に起因する反射光を撮像装置２０が受け取る光から確実に除去できる。したがって、透明基材２００を備える物品１００についての検査の精度をより向上できる。
【００５７】
なお、この変形例では、第１及び第２偏光フィルタ７１，７２により、透明基材２００の裏面２２０に存在する物体に起因する反射光を撮像装置２０が受け取る光から除去している。しかしながら、第１及び第２偏光フィルタ７１，７２の代わりに、１以上の偏光フィルタを用いてもよい。１以上の偏光フィルタは、直線偏光フィルタであってもよいし、円偏光フィルタ、あるいは、楕円偏光フィルタであってもよい。要するに、透明基材２００の裏面２２０に存在する物体に起因する反射光を撮像装置２０が受け取る光から除去できればよい。このような１以上の偏光フィルタは、照明装置１０からの光の特性、透明基材２００の偏光特性、部品３００の偏光特性、ステージ５０の載置面５１の偏光特性、などを考慮して、選択され得る。
【００５８】
上記実施形態では、照明装置１０は直線光源であるが、他の変形例では、照明装置１０は直線光源でなくてもよい。ただし、照明装置１０が直線光源であれば、物品１００とは関係が無い物体で反射された光が撮像装置２０に入ることを抑制しやすい。そのため、照明装置１０は直線光源であることが好ましい。
【００５９】
上記実施形態では、撮像装置２０はラインカメラであるが、他の変形例では、撮像装置２０はラインカメラでなくてもよい。つまり、少なくとも、透明基材２００の表面２１０の所定位置４００の周辺の画像が得られれば、撮像装置２０は特に限定されない。ただし、透明基材２００が比較的大型の板状である場合には、撮像装置２０はラインカメラであることが好ましい。
【００６０】
上記実施形態では、検査前処理により、欠陥のない物品の実際の画像からテンプレートが作成されている。しかしながら、テンプレートは、例えば、シミュレーションの結果を元に作成されてもよい。つまり、検査前処理は、必ずしも必須ではない。
【００６１】
上記実施形態では、判断ステップにおいて、一致度を所定の閾値と比較している。しかしながら、変形例では、判断ステップにおいて、一致度は、第１の閾値及び第２の閾値と比較されてもよい。第１の閾値は、所定の閾値と同じである。第２の閾値は、部品が所定位置に配置されていないか、又は破損しているかを判断するための閾値である。部品３００の欠落が起きている場合のテンプレートとの一致度は、部品３００の破損が起きている場合よりも低くなると考えられる。そのため、第２の閾値は、第１の閾値より小さい。したがって、この変形例の判断ステップでは、一致度が第１の閾値以上であれば部品が破損せずに所定位置に配置されていると判断する。また、一致度が第１の閾値未満且つ第２の閾値以上であれば部品が破損していると判断する。また、一致度が第２の閾値未満であれば部品が所定位置に配置されていないと判断する。この変形例によれば、検査の結果をより詳細に分析できる。
【００６２】
上記実施形態では、支持装置４０のステージ５０は、物品１００が載置される載置面５１を有する台である。しかしながら、ステージ５０は、物品１００を搬送可能な搬送機であってもよい。搬送機は、例えば、ローラコンベアや、ベルトコンベアである。特に、透明基材２００に部品３００を配置するための設備に透明基材２００を出し入れするための搬送機をステージ５０として利用できる。なお、ローラコンベアにおいて、複数のローラが回転軸方向に間隔を空けて配置されている場合、複数のローラ間に、板材を配置してもよい。この板材は、透明基材２００の裏面２２０と対向する面が光沢を有する平坦な面であることが好ましい。
【００６３】
３．本発明に係る態様
以上述べた実施形態及び変形例から明らかなように、本発明に係る第１の態様の検査方法は、透明基材（２００）及び前記透明基材（２００）の表面（２１０）の所定位置（４００）に配置される部品（３００）を備える物品（１００）の検査方法である。第１の態様の検査方法は、撮像ステップと、評価ステップと、を含む。前記撮像ステップは、照明装置（１０）から前記表面（２１０）に光を照射しながら撮像装置（２０）で前記表面（２１０）の画像（Ｐ，Ｐ１０）を撮像するステップである。前記評価ステップは、前記撮像装置（２０）で撮像された前記画像（Ｐ，Ｐ１０）のうち前記所定位置（４００）に対応する位置（４００Ｐ）の周辺の画像（Ｒ１〜Ｒ１２）とテンプレート（Ｔ１，Ｔ２，Ｔ３）との一致度を評価するステップである。前記テンプレート（Ｔ１，Ｔ２，Ｔ３）は、前記部品（３００）が正しく前記所定位置（４００）に配置されている場合の前記部品（３００）の実像（３００Ｒ）と虚像（３００Ｉ）との位置関係を示す。第１の態様によれば、透明基材（２００）を備える物品（１００）についての検査の精度を向上できる。
【００６４】
本発明に係る第２の態様の検査方法は、第１の態様との組み合わせにより実現され得る。第２の態様の検査方法は、さらに、判断ステップを含む。前記判断ステップは、前記一致度が所定の閾値以上であれば前記部品（３００）が破損せずに前記所定位置（４００）に配置されていると判断するステップである。前記判断ステップは、前記一致度が前記所定の閾値未満であれば前記部品（３００）が前記所定位置（４００）に配置されていない又は破損していると判断するステップである。第２の態様によれば、検査の結果が合格かどうかを容易に判断できる。
【００６５】
本発明に係る第３の態様の検査方法は、第１又は第２の態様との組み合わせにより実現され得る。第３の態様の検査方法では、前記撮像ステップにおいて、前記照明装置（１０）及び前記撮像装置（２０）を、前記照明装置（１０）からの光のうち前記表面（２１０）における正反射光を前記撮像装置（２０）が受け取るように配置する。第３の態様によれば、透明基材（２００）を備える物品（１００）についての検査の精度を向上できる。
【００６６】
本発明に係る第４の態様の検査方法は、第１〜第３の態様のいずれか一つとの組み合わせにより実現され得る。第４の態様の検査方法では、前記撮像ステップにおいて、１以上の偏光フィルタ（７１，７２）を用いて、前記透明基材（２００）の裏面（２２０）に存在する物体に起因する反射光を前記撮像装置（２０）が受け取る光から除去する。第４の態様によれば、透明基材（２００）を備える物品（１００）についての検査の精度を向上できる。
【００６７】
本発明に係る第５の態様の検査システムは、透明基材（２００）及び前記透明基材（２００）の表面（２１０）の所定位置（４００）に配置される部品（３００）を備える物品（１００）の検査システムである。第５の態様の検査システムは、前記表面（２１０）に光を照射する照明装置（１０）と、前記表面（２１０）の画像（Ｐ，Ｐ１０）を撮像する撮像装置（２０）と、第１の態様の検査方法を実行する処理装置（３０）と、を備える。第５の態様によれば、透明基材（２００）を備える物品（１００）についての検査の精度を向上できる。
【００６８】
本発明に係る第６の態様の検査システムは、第５の態様との組み合わせにより実現され得る。第６の態様の検査システムでは、前記処理装置（３０）は、前記一致度が所定の閾値以上であれば前記部品（３００）が破損せずに前記所定位置（４００）に配置されていると判断するように構成される。前記処理装置（３０）は、前記一致度が前記所定の閾値未満であれば前記部品（３００）が前記所定位置（４００）に配置されていない又は破損していると判断するように構成される。第６の態様によれば、検査の結果が合格かどうかを容易に判断できる。
【００６９】
本発明に係る第７の態様の検査システムは、第５又は第６の態様との組み合わせにより実現され得る。第７の態様の検査システムでは、前記照明装置（１０）及び前記撮像装置（２０）は、前記照明装置（１０）からの光のうち前記表面（２１０）における正反射光を前記撮像装置（２０）が受け取るように配置される。第７の態様によれば、透明基材（２００）を備える物品（１００）についての検査の精度を向上できる。
【００７０】
本発明に係る第８の態様の検査システムは、第５〜第７の態様のいずれか一つとの組み合わせにより実現され得る。第８の態様の検査システムは、さらに、前記透明基材（２００）の裏面（２２０）に存在する物体に起因する反射光を前記撮像装置（２０）が受け取る光から除去する１以上の偏光フィルタ（７１，７２）を備える。第８の態様によれば、透明基材（２００）を備える物品（１００）についての検査の精度を向上できる。
【００７１】
本発明に係る第９の態様の製造方法は、透明基材（２００）及び前記透明基材（２００）の表面（２１０）の所定位置（４００）に配置される部品（３００）を備える物品（１００）の製造方法である。第９の態様の製造方法は、前記透明基材（２００）の前記表面（２１０）の前記所定位置（４００）に前記部品（３００）を形成する形成処理を行うステップを含む。また、第９の態様の製造方法は、第１〜第４の態様のいずれか一つの検査方法により、前記物品（１００）の検査を行うステップを含む。さらに、第９の態様の製造方法は、前記検査の結果が不合格であれば、再度、前記形成処理を行うステップを含む。第９の態様によれば、透明基材（２００）を備える物品（１００）の品質を向上できる。
【符号の説明】
【００７２】
１０  照明装置
２０  撮像装置
３０  処理装置
７１  第１偏光フィルタ（偏光フィルタ）
７２  第２偏光フィルタ（偏光フィルタ）
１００  物品
２００  透明基材
２１０  表面
２２０  裏面
３００，３０１〜３１２  部品
４００，４０１〜４１２  所定位置
Ｒ１〜Ｒ１２  マッチング範囲
３００Ｒ，３０１Ｒ〜３１２Ｒ  実像
３００Ｉ，３０１Ｉ〜３１２Ｉ  虚像
４００Ｐ，４０１Ｐ〜４１２Ｐ  位置
Ｐ，Ｐ１０  画像
Ｔ１，Ｔ２，Ｔ３  テンプレート
【図１】
0006614542.tif 000002
【図２】
0006614542.tif 000003
【図３】
0006614542.tif 000004
【図４】
0006614542.tif 000005
【図５】
0006614542.tif 000006
【図６】
0006614542.tif 000007
【図７】
0006614542.tif 000008